(57)【要約】【課題】  接点寿命が短くなるという問題や擦れによる鳴き音の問題の発生を抑制しつつ、キャリッジ上の電気回路基板のグラウンドを低コストで十分に安定化させる。【解決手段】  画像読取部Ａには、コンタクトガラス１１に載置された原稿ｄ1の画像面に沿って移動可能なキャリッジ１１０と、ＡＤＦ１２０とが備わっている。キャリッジには、導電性のキャリッジフレーム１１０ａと、これにグラウンド端子が接続され、ＣＣＤイメージセンサから出力される電気信号を処理するアナログ信号回路を搭載した電気回路基板とが搭載されている。ＡＤＦ読取モード時にはキャリッジがホームポジションＳ１に停止した状態で画像読取を行う。このとき、ユニットケーシング１０に固定された金属板バネ１３がキャリッジフレームと接触する。この接触状態は、キャリッジ移動読取モード時には、キャリッジがホームポジションから離れると解除される。【選択図】  図１
2007074019.tif 000002
【特許請求の範囲】
【請求項１】
原稿を載置するための原稿台、
少なくとも一部に導電部を有するキャリッジフレームと、原稿の画像面に光を照射する光源を含む電気部品と、該導電部にグラウンド端子が接続され、該電気部品の少なくとも１つを駆動し若しくは制御し又は該電気部品の少なくとも１つから出力される電気信号に基づいて演算処理するための電気回路基板とを備え、該原稿台に載置された原稿の画像面に沿って移動可能なキャリッジ、
所定の固定読取位置に停止しているキャリッジ上の光源が光を照射する位置を原稿が通過するように該原稿を搬送する原稿搬送装置、及び、
読取モードとして、該キャリッジを移動させながら該光源からの光を該原稿台上の原稿の画像面に照射し、その反射光を受光して画像を読み取るキャリッジ移動読取モードと、該キャリッジを該所定の固定読取位置に停止させた状態で該原稿搬送装置により原稿を搬送しながら該光源からの光を該原稿の画像面に照射し、その反射光を受光して画像を読み取るキャリッジ固定読取モードとを有する読取制御部を備えた画像読取装置において、
上記キャリッジフレームの導電部及び上記画像読取装置本体の導電性フレームのいずれか一方に固定された導電部材を有しており、
該導電部材は、該キャリッジが上記所定の固定読取位置に停止しているときに他方と接触し、かつ、該キャリッジが該所定の固定読取位置から離れた位置にあるときには該他方と接触しないように配置されていることを特徴とする画像読取装置。
【請求項２】
請求項１の画像読取装置において、
上記キャリッジには、原稿の画像面からの反射光を受光して電気信号に変換する光電変換素子と、上記光源を点灯させるための光源点灯手段とが搭載されており、
上記電気回路基板は、該光電変換素子から出力される電気信号を処理するアナログ信号回路を備えていることを特徴とする画像読取装置。
【請求項３】
請求項１又は２の画像読取装置において、
上記キャリッジの移動可能範囲の一端が上記所定の固定読取位置であり、
上記導電部材を、該キャリッジの移動方向における上記他方との対向箇所に配置したことを特徴とする画像読取装置。
【請求項４】
請求項１、２又は３の画像読取装置において、
上記導電部材は、上記導電性フレームに固定されていることを特徴とすることを特徴とする画像読取装置。
【請求項５】
請求項１、２、３又は４の画像読取装置において、
上記導電部材は、導電性を有する弾性部材であることを特徴とする画像読取装置。
【請求項６】
請求項５の画像読取装置において、
上記導電部材は金属板バネであることを特徴とする画像読取装置。
【請求項７】
画像読取部と、
該画像読取部が読み取った画像情報に基づいて記録材上に画像を形成する画像形成部とを有する画像形成装置において、
上記画像読取部として、請求項１、２、３、４、５又は６の画像読取装置を用いることを特徴とする画像形成装置。
【発明の詳細な説明】
【技術分野】
【０００１】
本発明は、スキャナ装置などの画像読取装置及びこれを備える複写機やファクシミリ等の画像形成装置に関するものである。
【背景技術】
【０００２】
フラットベッドスキャナ等の画像読取装置においては、一般に、コンタクトガラス（原稿台）に載置された原稿の画像面に沿って移動可能なキャリッジを備えている。この画像読取装置においては、キャリッジを移動させながらキャリッジ上の光源からの光をコンタクトガラス上の原稿の画像面に照射し、その反射光を受光して画像を読み取る。また、自動原稿搬送装置（ＡＤＦ：オートドキュメントフィーダー）を搭載した画像読取装置も知られている（特許文献１等）。この画像読取装置は、読取モードとして、上記と同様にキャリッジを移動させながら画像を読み取るキャリッジ移動読取モードのほか、キャリッジを所定の固定読取位置（ホームポジション）に停止させた状態でＡＤＦにより原稿を搬送しながらキャリッジ上の光源からの光を原稿の画像面に照射し、その反射光を受光して画像を読み取るキャリッジ固定読取モードを備えている。キャリッジ移動読取モード時は停止状態の原稿に対してキャリッジを移動させることにより原稿の画像面全域の画像を読み取るのに対し、キャリッジ固定読取モード時は停止状態のキャリッジに対して原稿を移動させることにより原稿の画像面全域の画像を読み取る。
【０００３】
【特許文献１】特開２００５−１８４５４２号公報
【発明の開示】
【発明が解決しようとする課題】
【０００４】
キャリッジには、ＣＣＤ（Charge Coupled Devices）などの光電変換素子を駆動する電気回路や光源点灯用の光源点灯回路などの電気回路基板が搭載されることが多い。このような電気回路基板は、一般に、電気的ノイズの抑制や信号品質確保のためにグラウンドの安定化が必要である。特にＣＣＤから出力される電気信号のような微弱なアナログ信号を扱うＣＣＤ駆動回路（アナログ信号回路）が、ランプインバータのような高電圧スイッチング回路（光源点灯手段）と同じキャリッジ上に搭載されている場合、グラウンドが安定していないと、ランプインバータのノイズがＣＣＤ駆動回路に混入しやすく、画像品質に影響を及ぼす可能性が高い。そのため、電気回路基板上のグラウンド（シグナルグラウンド）は、できるだけ低インピーダンスに保つ必要がある。
【０００５】
一般の電気回路基板では、低インピーダンスな装置本体のフレーム板金（フレームグラウンド）に基板取付ネジ等を介して常時アースすることが多い。キャリッジに搭載された電気回路基板も、低インピーダンスな画像読取装置本体のフレーム板金（導電性フレーム）に常時アースすることが望ましい。
キャリッジに搭載された電気回路基板を画像読取装置本体のフレーム板金に常時アースする方策としては、キャリッジ上の電気回路基板と画像読取装置本体の電気回路基板とを接続しているハーネスのグラウンドラインを利用する方策が考えられる。しかし、ハーネスのグラウンドラインは細い信号線であり、そのインピーダンスは比較的高いものである。よって、キャリッジに搭載された電気回路基板と画像読取装置本体のフレーム板金との間のインピーダンスが高いために、グラウンドの十分な安定化を図ることができない。そして、グラウンドの十分な安定化を図るために、グラウンドライン自体を太くしたり、グラウンドラインを多数設けたりすると、コスト高になるという問題が発生する。
【０００６】
一方、電気回路基板のグラウンド端子が接続されたキャリッジ側の金属部と装置本体側のフレーム板金とを直接接触させる方策も考えられる。しかし、この方策では、キャリッジが画像読取装置本体に対して移動することから、そのキャリッジ上の電気回路基板を装置本体側のフレーム板金に常時アースしようとすると、キャリッジ側の金属部と装置本体側のフレーム板金との間で摺動が発生する。そのため、その金属部とフレーム板金との接点寿命が短くなるという問題や、擦れによる鳴き音の問題などが発生する。
【０００７】
本発明は、以上の問題に鑑みなされたものであり、その目的とするところは、接点寿命が短くなるという問題や擦れによる鳴き音の問題の発生を抑制しつつ、キャリッジ上の電気回路基板のグラウンドを低コストで十分に安定化させることが可能な画像読取装置及びこれを備えた画像形成装置を低コストで提供することを目的とする。
【課題を解決するための手段】
【０００８】
上記目的を達成するために、請求項１の発明は、原稿を載置するための原稿台、少なくとも一部に導電部を有するキャリッジフレームと、原稿の画像面に光を照射する光源を含む電気部品と、該導電部にグラウンド端子が接続され、該電気部品の少なくとも１つを駆動し若しくは制御し又は該電気部品の少なくとも１つから出力される電気信号に基づいて演算処理するための電気回路基板とを備え、該原稿台に載置された原稿の画像面に沿って移動可能なキャリッジ、所定の固定読取位置に停止しているキャリッジ上の光源が光を照射する位置を原稿が通過するように該原稿を搬送する原稿搬送装置、及び、読取モードとして、該キャリッジを移動させながら該光源からの光を該原稿台上の原稿の画像面に照射し、その反射光を受光して画像を読み取るキャリッジ移動読取モードと、該キャリッジを該所定の固定読取位置に停止させた状態で該原稿搬送装置により原稿を搬送しながら該光源からの光を該原稿の画像面に照射し、その反射光を受光して画像を読み取るキャリッジ固定読取モードとを有する読取制御部を備えた画像読取装置において、上記キャリッジフレームの導電部及び上記画像読取装置本体の導電性フレームのいずれか一方に固定された導電部材を有しており、該導電部材は、該キャリッジが上記所定の固定読取位置に停止しているときに他方と接触し、かつ、該キャリッジが該所定の固定読取位置から離れた位置にあるときには該他方と接触しないように配置されていることを特徴とするものである。
また、請求項２の発明は、請求項１の画像読取装置において、上記キャリッジには、原稿の画像面からの反射光を受光して電気信号に変換する光電変換素子と、上記光源を点灯させるための光源点灯手段とが搭載されており、上記電気回路基板は、該光電変換素子から出力される電気信号を処理するアナログ信号回路を備えていることを特徴とするものである。
また、請求項３の発明は、請求項１又は２の画像読取装置において、上記キャリッジの移動可能範囲の一端が上記所定の固定読取位置であり、上記導電部材を、該キャリッジの移動方向における上記他方との対向箇所に配置したことを特徴とするものである。
また、請求項４の発明は、請求項１、２又は３の画像読取装置において、上記導電部材は、上記導電性フレームに固定されていることを特徴とするものである。
また、請求項５の発明は、請求項１、２、３又は４の画像読取装置において、上記導電部材は、導電性を有する弾性部材であることを特徴とするものである。
また、請求項６の発明は、請求項５の画像読取装置において、上記導電部材は金属板バネであることを特徴とするものである。
また、請求項７の発明は、画像読取部と、該画像読取部が読み取った画像情報に基づいて記録材上に画像を形成する画像形成部とを有する画像形成装置において、上記画像読取部として、請求項１、２、３、４、５又は６の画像読取装置を用いることを特徴とするものである。
【０００９】
本発明においては、キャリッジが所定の固定読取位置に停止しているときに、導電部材を介してキャリッジフレームの導電部と画像読取装置本体の導電性フレームとが導通状態になる。よって、低インピーダンスな導通部材を用いることで、キャリッジが所定の固定読取位置に停止した状態で画像を読み取るキャリッジ固定読取モード時においては、キャリッジ上の電気回路基板のグラウンド端子を画像読取装置本体の導電性フレームに対して低インピーダンス状態でアースできる。その結果、キャリッジ上における電気回路基板のグラウンドを安定化させることができる。
しかも、上記導電部材は、キャリッジが所定の固定読取位置に停止しているときにはキャリッジフレームの導電部と画像読取装置本体の導電性フレームとを導通状態にするが、キャリッジが所定の固定読取位置から離れた所定の位置（以下、「離間位置」という。）に移動するとその導通状態を解除する。このようにキャリッジの移動に応じて導通状態と非導通状態とを切り換える構成は、後述する実施形態で例示するように、ハーネスのグラウンドラインを低インピーダンス化する場合に比べて遙かに低コストで実現可能である。
加えて、キャリッジが上記離間位置へ移動した後は導電部材が当該他方と接触しないので、接点寿命が短くなるという問題や擦れによる鳴き音の問題の発生が抑制される。ただし、キャリッジを移動させながら画像を読み取るキャリッジ移動読取モード時には、キャリッジが上記離間位置へ移動した後は、キャリッジ上の電気回路基板におけるグラウンド端子が画像読取装置本体の導電性フレームに接続されなくなる。しかし、キャリッジ移動読取モードとキャリッジ固定読取モードとを併せ持つ構成においては、現実にはキャリッジ固定読取モードを利用する頻度の方が高い。加えて、キャリッジ固定読取モードは、通常は多量の原稿を連続して読み取る際に利用される読取モードであり、キャリッジ移動読取モードに比べて、キャリッジ上における電気回路基板のグラウンドが不安定になりやすい。よって、キャリッジ移動読取モード時におけるグラウンド安定化が不十分であっても、キャリッジ固定読取モード時におけるグラウンド安定化が十分であれば、現実的には実効性の高いグラウンド安定化を実現できる。
【発明の効果】
【００１０】
以上、本発明によれば、接点寿命が短くなるという問題や擦れによる鳴き音の問題の発生を抑制しつつ、キャリッジ上の電気回路基板のグラウンドを低コストで十分に安定化させることが可能となるという優れた効果がある。
【発明を実施するための最良の形態】
【００１１】
以下、本発明を、画像読取装置を備えたデジタル画像形成装置である複写機に適用した一実施形態について説明する。
図２は、本実施形態の複写機全体を示す概略構成図である。
本実施形態の複写機１は、大きく分けて、画像読取部（画像読取装置）Ａ、画像処理部Ｂ、画像記憶部Ｃ、画像書込部Ｄ、画像記録部Ｅ、給紙部Ｆ等から構成されている。なお、本実施形態では、画像書込部Ｄ及び画像記録部Ｅにより画像形成部が構成されている。
【００１２】
画像記録部Ｅは、潜像担持体である感光体ドラム３１と、その周囲に配置される、帯電器３２、現像器３３、転写器３４、分離器３５、クリーニング装置３６等とから構成されている。また、分離器３５の下流側には、更に、搬送部３７、定着部３８、排紙部３９も配置されており、これらも画像記録部Ｅを構成している。
給紙部Ｆは、記録材としての転写紙Ｐを収容する給紙カセット４１、給紙カセット４１内の転写紙Ｐを分離して給送する給紙機構４２等から構成されている。
【００１３】
回転駆動する感光体ドラム３１の表面は、帯電器３２により一様帯電される。帯電された後の感光体ドラム３１の表面には、画像読取部Ａで読み取った画像情報について画像処理部Ｂが画像処理した後の情報に基づいて変調されたレーザー光線３が画像書込部Ｄから感光体ドラム軸方向にスキャンされて照射される。これにより、感光体ドラム３１上に静電潜像が形成される。感光体ドラム３１上に形成された静電潜像は、現像器３３と対向する現像領域において帯電トナーが付着して現像されることによりトナー像となる。一方、転写紙Ｐは給紙部Ｆにより給紙・搬送され、所定のタイミングで感光体ドラム３１と転写器３４とが対向する転写領域に送出・搬送される。そして、転写器３４により、感光体ドラム３１上のトナー像とは逆極性の電荷を転写紙Ｐに付与することで、感光体ドラム３１上に形成されたトナー像が転写紙Ｐに転写される。次いで、転写紙Ｐは、感光体ドラム３１から分離され、搬送部３７により定着部３８へ搬送され、その定着部３８においてトナー像が定着される。その後、排紙部３９により機外に排出される。転写器３４でトナー像が転写された後の感光体ドラム３１の表面は、クリーニング装置３６でクリーニングされ、感光体ドラム３１上に残ったトナーが除去される。
【００１４】
次に、画像読取部Ａについて説明する。
図３は、画像読取部Ａの駆動系を示す説明図である。
画像読取部Ａのユニットケーシング（装置本体の導電性フレーム）１０内には、駆動軸１０１が回転可能に支持されている。駆動軸１０１の一方の軸端部には、タイミングプーリ１０２が固定され、駆動モータＭの駆動軸に取り付けられたタイミングプーリ１０３の駆動回転により、タイミングベルト１０４を介して駆動軸１０１が回転される。駆動軸１０１の両軸端部付近には、それぞれ駆動プーリ１０５が固定されている。各駆動プーリ１０５には、複数回巻回されたフレキシブルワイヤ１０６の一端が係止されている。このフレキシブルワイヤ１０６は、アイドルプーリ１０７Ａ，１０７Ｂの間に掛け渡されている。フレキシブルワイヤ１０６の所定位置には、取付具１１１ｂによりキャリッジ１１０が係止されている。
【００１５】
駆動モータＭにより駆動プーリ１０５が回転駆動すると、フレキシブルワイヤ１０６が駆動して、キャリッジ１１０が原稿台であるコンタクトガラス１１上に載置された原稿ｄの画像面に沿ってガイドレール１８上を移動する。キャリッジ１１０は、後述するキャリッジ移動読取モードにおいて、往動時（スキャン方向Ｇへの移動時）にはホームポジションＳ１から移動を開始して画像露光を行い、復動時（スキャンバック方向Ｈへの移動時）には画像露光を行わずにクイックリターンしてホームポジションＳ１に戻る。
【００１６】
図１は、画像読取部Ａの主要部を示す説明図である。なお、図示の状態は、キャリッジ１１０の基準位置ＩがホームポジションＳ１に位置するようにキャリッジ１１０が停止している状態である。
キャリッジ１１０は、ＣＣＤモジュールとビデオ処理回路基板１１１とから構成され、これらは金属で形成されたキャリッジフレームに取り付けられている。ＣＣＤモジュール内には、光源である図示しないキセノンランプと、キセノンランプを点灯制御する光源点灯手段としてのインバータ回路基板と、原稿ｄ1，ｄ2からの反射光を屈折させるミラーと、ミラーからの反射光を集光するレンズと、レンズで集光された光を光電変換するＣＣＤイメージセンサと、ＣＣＤイメージセンサを駆動してＣＣＤイメージセンサから出力された電気信号に基づいてアナログ画像信号を出力するＣＣＤ駆動回路基板（アナログ信号回路）とを備えている。ＣＣＤ駆動回路基板から出力されるアナログ画像信号は、ビデオ処理回路基板１１１によりデジタル画像信号に変換される。このデジタル画像信号は、フレキシブルフラットケーブル１６を介して画像読取部Ａの読取制御部であるメイン制御基板１１３に送信され、そのメイン制御基板１１３から画像処理部Ｂに送信される。画像処理部Ｂでは、受信したデジタル画像信号について所定の画像処理を行い、その処理後の画像データは画像記憶部Ｃ内に一時的に保存される。
【００１７】
なお、画像処理部Ｂで行う画像処理としては、例えば、シェーディング補正、輝度／濃度変換、ＥＥ処理、文字／網点判別、フィルタ／変倍処理、コピーγ補正、書込濃度補正、２ビーム制御、誤差拡散処理、データ圧縮処理等が挙げられる。画像記憶部Ｃに一時的に記憶された画像データは、画像書込部Ｄに出力される。画像書込部Ｄでは、その画像データに基づく書込光を半導体レーザから出力する。この半導体レーザからの書込光は、駆動モータ２１により回転される回転多面鏡（ポリゴンミラー）２２で回転走査され、ｆθレンズ２３を経て、第１ミラー２４、第２ミラー２５、シリンドリカルレンズ２６、第３ミラー２７を通過して、カバーガラス２８から射出され、画像記録部Ｅに設けられた感光体ドラム３１上に照射される。
【００１８】
また、本実施形態の画像読取部Ａには、原稿自動搬送装置（ＡＤＦ）１２０が設けられている。このＡＤＦ１２０は、給紙トレイ１２１上に載せられた原稿ｄ2を上から順に１枚ずつ搬送する。原稿ｄ2は、複数の搬送ローラ１２２により、図中破線に沿ってＡＤＦ読取ガラス１２上を通過するように搬送され、最終的に排紙トレイ１２３上に排紙される。
【００１９】
本実施形態において、画像読取部Ａのメイン制御基板１１３は、キャリッジ移動読取モードとキャリッジ固定読取モードであるＡＤＦ読取モードとの２つの読取モードで動作可能である。
キャリッジ移動読取モード（フラットヘッド読取モード）は、原稿ｄ1をコンタクトガラス１１上に載置して画像読取を行う読取モードである。このキャリッジ移動読取モード時には、メイン制御基板１１３が画像読取命令を受け取ると、駆動モータＭを駆動して、ホームポジションＳ１に停止中のキャリッジ１１０を図中矢印Ｇで示すスキャン方向へ移動させる。その後、遅くともキャリッジ１１０の基準位置Ｉが読取開始位置Ｓ２に到達するまでに、キャリッジ１１０上のキセノンランプを点灯させる。そして、基準位置Ｉが読取開始位置Ｓ２を通過した後、キャリッジ１１０上のキセノンランプにより原稿ｄ1の画像面を露光しながら、キャリッジ１１０上のＣＣＤイメージセンサで原稿ｄ1からの反射光を受光し、ＣＣＤ駆動回路基板から出力されるアナログ画像信号をビデオ処理回路基板１１１によりデジタル画像信号に変換して、そのデジタル画像信号を画像処理部Ｂへ送信する。原稿ｄ1の画像面全域を露光した後はキセノンランプを消灯し、キャリッジ１１０をスキャンバック方向Ｈへクイックリターンさせる。これにより、キャリッジ１１０は、ホームポジションＳ１に戻り、そこに停止する。
【００２０】
一方、ＡＤＦ読取モードは、原稿ｄ2をＡＤＦ１２０の給紙トレイ１２１上に載置して画像読取を行う読取モードである。このＡＤＦ読取モード時には、メイン制御基板１１３が画像読取命令を受け取ると、ＡＤＦ１２０の各搬送ローラ１２２を駆動し、原稿ｄ2が図中破線に沿ってＡＤＦ読取ガラス１２上を通過するように搬送する。ＡＤＦ読取モード時において、キャリッジ１１０はホームポジションＳ１に停止したままである。すなわち、本実施形態のＡＤＦ読取モードはいわゆるシートスルー型の読取方式である。キャリッジ１１０上のキセノンランプは、遅くとも原稿ｄ2がＡＤＦ読取ガラス１２上を通過する前に点灯させる。原稿ｄ2の先端がＡＤＦ読取ガラス１２上を通過したら、キャリッジ１１０上のＣＣＤイメージセンサで原稿ｄ2からの反射光を受光し、ＣＣＤ駆動回路基板から出力されるアナログ画像信号をビデオ処理回路基板１１１によりデジタル画像信号に変換して、そのデジタル画像信号を画像処理部Ｂへ送信する。
【００２１】
次に、本発明の特徴部分である、キャリッジ１１０上に搭載された各種電気回路のグラインドを安定化させる構成について説明する。
キャリッジ１１０に搭載された各種電気回路は、電気的ノイズの抑制や信号品質確保のためにグラウンドの安定化が必要である。特に、本実施形態のように、ＣＣＤから出力される微弱なアナログ信号を扱うＣＣＤ駆動回路が高電圧スイッチング回路であるインバータ回路基板と同じキャリッジ上に搭載されている場合には、グラウンドが安定していないと、インバータ回路基板のノイズがＣＣＤ駆動回路に混入しやすく、画像品質に影響を及ぼす可能性が高い。
【００２２】
本実施形態では、キャリッジ１１０に搭載された各種電気回路のグラウンド端子を、キャリッジフレーム１１０ａに接続している。しかし、キャリッジフレーム１１０ａは、ユニットケーシングに比べてずっと小さいものであることから、キャリッジフレーム１１０ａだけでグラウンドを十分に低インピーダンス化して各種電気回路のグラウンド安定化を図ることは困難である。そこで、本実施形態では、ユニットケーシング１０の内壁に導電部材としての金属板バネ１３を取り付け、キャリッジ１１０が図１に示すようにホームポジションＳ１に停止しているとき、その金属板バネ１３がキャリッジフレーム１１０ａの側面（図中左側面）に当接するように構成されている。なお、金属板バネ１３の取付方法としては、ユニットケーシング１０と金属板バネ１３との電気的導通が確保される限り、ねじ止め、両面テープ接着、溶着などのあらゆる方法を採用できる。ただし、ユニットケーシング１０と金属板バネ１３との間の導通インピーダンスが低いほど良い。
【００２３】
このような構成により、キャリッジ１１０がホームポジションＳ１に停止しているときには、キャリッジ１１０上の各種電気回路のグラインド端子は、キャリッジフレーム１１０ａ及びこれに接触する金属板バネ１３を介してユニットケーシング１０にアースされる。よって、キャリッジ１１０をホームポジションＳ１に停止させたまま画像読取を行うＡＤＦ読取モード時においては、各種電気回路のグラインド端子がユニットケーシング１０にアースされた状態で読取動作を行うことができ、各種電気回路のグラウンド安定化を図ることができる。
【００２４】
一方、キャリッジ１１０がホームポジションＳ１から移動すると、キャリッジフレーム１１０ａは金属板バネ１３から離間する。よって、キャリッジ１１０を移動させながら画像読取を行うキャリッジ移動読取モード時においては、各種電気回路のグラインド端子はユニットケーシング１０にはアースされていない状態で読取動作を行うことになる。しかし、本実施形態の複写機のようにキャリッジ移動読取モードとＡＤＦ読取モードとを併せ持つ構成においては、現実的にＡＤＦ読取モードを利用する頻度の方が高い。加えて、ＡＤＦ読取モードは、通常は多量の原稿ｄ2を連続して読み取る際に利用される読取モードであるので、キャリッジ移動読取モードに比べて、キャリッジ１１０上の各種電気回路のグラウンドが不安定になりやすい。よって、本実施形態のようにキャリッジ移動読取モード時におけるグラウンド安定化が不十分であっても、ＡＤＦ読取モード時におけるグラウンド安定化が十分であれば、現実的には実効性の高いグラウンド安定化を実現できる。
【００２５】
以上、本実施形態の複写機は、画像読取部Ａと、画像読取部Ａが読み取った画像情報に基づいて記録材としての転写紙Ｐ上に画像を形成する画像形成部である画像書込部Ｄ及び画像記録部Ｅとを有している。画像読取部Ａは、原稿台であるコンタクトガラス１１と、これに載置された原稿ｄ1の画像面に沿って移動可能なキャリッジ１１０と、原稿搬送装置としてのＡＤＦ１２０と、読取制御部としてのメイン制御基板１１３とを備えている。キャリッジ１１０には、全体が導電部であるキャリッジフレーム１１０ａと、原稿ｄ1，ｄ2の画像面に光を照射する光源であるキセノンランプ及びＣＣＤイメージセンサ等の電気部品と、キャリッジフレーム１１０ａにグラウンド端子が接続され、当該電気部品の少なくとも１つを駆動し若しくは制御し又は当該電気部品の少なくとも１つから出力される電気信号に基づいて演算処理するための電気回路基板とが搭載されている。ＡＤＦ１２０は、ホームポジションＳ１に停止しているキャリッジ１１０上の光源であるキセノンランプが光を照射する位置（ＡＤＦ読取ガラス１２の上面）を原稿ｄ2が通過するように原稿ｄ2を搬送する。メイン制御基板１１３は、画像読取部Ａを制御するためのものであって、読取モードとして、キャリッジ１１０を移動させながらキセノンランプからの光をコンタクトガラス１１上の原稿ｄ1の画像面に照射し、その反射光を受光して画像を読み取るキャリッジ移動読取モードと、キャリッジ１１０をホームポジションＳ１に停止させた状態でＡＤＦ１２０により原稿ｄ2を搬送しながらキセノンランプからの光を原稿ｄ2の画像面に照射し、その反射光を受光して画像を読み取るキャリッジ固定読取モードであるＡＤＦ読取モードとを有する。そして、本実施形態では、画像読取装置本体の導電性フレームであるユニットケーシング１０に固定された導電部材としての金属板バネ１３を有しており、金属板バネ１３は、キャリッジ１１０がホームポジションＳ１に停止しているときにキャリッジフレーム１１０ａと接触し、かつ、キャリッジ１１０がホームポジションＳ１から離れた離間位置（本実施形態ではホームポジションＳ１から僅かに外れた位置よりホームポジションＳ１から離れた位置）にあるときにはキャリッジフレーム１１０ａと接触しないように配置されている。これにより、キャリッジ１１０に搭載された各種電気回路のグラインドについて、上述したように現実的には実効性の高いグラウンド安定化を実現できる。しかも、本実施形態では、キャリッジ１１０が離間位置へ移動した後は金属板バネ１３がキャリッジフレーム１１０ａと接触しないので、接点寿命が短くなるという問題や擦れによる鳴き音の問題の発生が抑制される。
また、本実施形態においては、キャリッジ１１０に、原稿ｄ1，ｄ2の画像面からの反射光を受光して電気信号に変換する光電変換素子としてのＣＣＤイメージセンサと、キセノンランプを点灯させるための光源点灯手段としてのインバータ回路基板とが搭載されており、キャリッジフレーム１１０ａにグラウンド端子が接続された電気回路基板は、ＣＣＤイメージセンサから出力される電気信号を処理するアナログ信号回路としてのＣＣＤ駆動回路を備えている。このような構成においては、インバータ回路基板のノイズがＣＣＤ駆動回路に混入しやすいため、ＣＣＤ駆動回路のグラウンドが安定していないと画像品質に影響を及ぼす可能性が高い。よって、このような構成について金属板バネ１３を用いたグラウンド安定化を図ることにより、画像品質の低下を抑制できる。
また、本実施形態においては、キャリッジ１１０の移動可能範囲の一端が、そのキャリッジフレーム１１０ａと金属板バネ１３とが接触するホームポジションＳ１であり、金属板バネ１３がキャリッジ１１０の移動方向におけるキャリッジフレーム１１０ａとの対向箇所に配置されている。このような構成により、キャリッジ１１０がホームポジションＳ１から移動するときに、キャリッジフレーム１１０ａと金属板バネ１３とが摺動しない。したがって、接点寿命が短くなるという問題や擦れによる鳴き音の問題が発生することはない。
また、本実施形態においては、金属板バネ１３はユニットケーシング１０に固定されているが、金属板バネ１３をキャリッジ１１０のキャリッジフレーム１１０ａに固定しても同様の効果が得られる。ただし、金属板バネ１３をキャリッジフレーム１１０ａに固定する場合、キャリッジ１１０の重量が重くなるので、キャリッジ移動読取モード時における駆動モータＭの負荷が増加し、ジターの発生を招くおそれが増えるので、金属板バネ１３をユニットケーシング１０に固定した方が好ましい。
また、本実施形態における金属板バネ１３は、導電性を有する弾性部材である。よって、金属板バネ１３とキャリッジフレーム１１０ａとの離接時に発生する衝撃がその弾性力により緩和することができる。このような効果を発揮する弾性部材としては、低コスト化の点で金属板バネ１３が好適であるが、他の部材を用いることもできる。例えば、ＥＭＩ（Electro Magnet Interference）対策によく利用されるソフトガスケット等を利用することができる。導電部材としてソフトガスケットを利用すれば、大きな接触面積を確保することが容易であり、グラウンドの更なる低インピーダンス化を図ることができる。
【００２６】
尚、金属板バネ１３等の導電部材の形状や配置等は適宜変更可能である。例えば、導電部材としてスプリング形状のものを用いてもよい。また、例えば、キャリッジ１１０の移動方向に対して直交するキャリッジフレーム部分と接触する位置に導電部材を配置してもよい。
また、本発明は、複写機やファクシミリのような画像読取部を備えた画像形成装置に限らず、スキャナ装置等の画像形成部を備えていない画像読取装置にも適用可能である。
【図面の簡単な説明】
【００２７】
【図１】実施形態に係る複写機の画像読取部の主要部を示す説明図。
【図２】同複写機全体を示す概略構成図。
【図３】同画像読取部の駆動系を示す説明図。
【符号の説明】
【００２８】
１０  ユニットケーシング
１１  コンタクトガラス
１２  ＡＤＦ読取ガラス
１３  金属板バネ
３１  感光体ドラム
１１０  キャリッジ
１１０ａ  キャリッジフレーム
１１１  ビデオ処理回路基板
１１３  メイン制御基板
１２０  ＡＤＦ
１２１  給紙トレイ
１２２  搬送ローラ
１２３  排紙トレイ
Ａ  画像読取部
Ｂ  画像処理部
Ｃ  画像記憶部
Ｄ  画像書込部
Ｅ  画像記録部
Ｆ  給紙部
ｄ1，ｄ2  原稿
【図１】
2007074019.tif 000003
【図２】
2007074019.tif 000004
【図３】
2007074019.tif 000005